(57)【要約】【課題】どのような作業の状況においても操作性、切削性の良いチェンソーを提供することにある【解決手段】チェンソー本体１と、この本体に取り付けられたガイドバー２及びソーチェン３とを備え、前記ガイドバー２が前記ソーチェン３を摺動自在に保持しているチェンソーにおいて、ガイドバー２の先端部に、ガイドバー２への取り付け状態で先端上部に被切削材を拘束する第１ガイド４ａと後端下部に被切削材を拘束する第２ガイド４ｂ及び先端部にソーチェン３に他の物体が接触するのを防止する第３ガイド４ｃとを備えたガイド４を設けたことを特徴とする。【選択図】図１
2005153195.tif 000002
【特許請求の範囲】
【請求項１】
チェンソー本体と、この本体に取り付けられたガイドバー及びソーチェンとを備え、前記ガイドバーが前記ソーチェンを摺動自在に保持しているチェンソーにおいて、前記ガイドバーの先端部に、ガイドバーへの取り付け状態で先端上部に被切削材を拘束する第１ガイドと後端下部に被切削材を拘束する第２ガイド及び先端部にソーチェンに他の物体が接触するのを防止する第３ガイドとを備えたガイドを設けたことを特徴とするチェンソー。
【請求項２】
チェンソー本体と、この本体に取り付けられたガイドバー及びソーチェンとを備え、前記ガイドバーが前記ソーチェンを摺動自在に保持するとともに、前記ガイドバーに被切削材を拘束するガイドを設けているチェンソーにおいて、前記被切削材を拘束するガイドの先端をソーチェンの厚さ方向中心線上近傍に位置させたことを特徴とするチェンソー。
【発明の詳細な説明】
【技術分野】
【０００１】
本発明は、チェンソーの操作性向上に関するものである。
【背景技術】
【０００２】
チェンソーは、ガイドバー上を駆動するソーチェンを樹木や丸太に押し付け、鋸引きの作用で樹木や丸太を切削し、伐採、切断するものとして提供されている。
しかし、チェンソーを使用しての小枝の伐採作業では、ソーチェンを押し付けていくと小枝がしなり、ソーチェンから小枝が逃げ鋸引き作用が十分に行われず、伐採作業が効率よく行えないという問題があった。そして、既に、この問題を解決する技術として、樹木を拘束し鋸引きを容易とするためのガイドをガイドバーに取り付ける技術が知られている。（特許文献１参照）
【０００３】
また、倒した丸太をチェンソーで切断する場合、ガイドバーの上側を駆動するソーチェンにより切り落とし側に切り口を入れて、切断途中で切断している丸太の重みで丸太に裂けが生じるのを防ぐ作業が一般的に行われている。
しかし、ガイドバーの上側を駆動するソーチェンにより切り落とし側に切り口を入れる作業においても、ソーチェンの位置を決めるための支えとなるものがないため、効率よく作業が行われにくい。
【０００４】
更に、チェンソーによる伐採、切断では、ガイドバーの先端部分を駆動するソーチェンが伐採、切断を意図していない物体に接触すると反動によりチェンソーが振られ操作が不安定になる問題があった。そして、既に、この問題を解決する技術として、ガイドバーの先端部分のソーチェンが他の物に接触するのを防ぐために、ガイドバーの先端部分に保護部材であるガイドを取り付ける技術が知られている。（特許文献２参照）
【０００５】
しかし、上記の欠点、問題点は、それぞれ単独の技術で持って解決を図られているため、作業の状況に応じてチェンソーを使い分けしなければならず、十分に操作性の良いチェンソーの提供が図られていない。
また、ガイドバーに、樹木を拘束し鋸引きを容易とするためのガイドを取り付ける技術においても、ガイドバーとガイドとの間に切り屑が堆積し、切削性が悪くなるという問題がある。
【特許文献１】実開平２−５０３０２号公報
【特許文献２】実開昭５４−５８９３号公報
【発明の開示】
【発明が解決しようとする課題】
【０００６】
解決しようとする問題点は、どのような作業の状況においても操作性、切削性の良いチェンソーを提供することにある。
【課題を解決するための手段】
【０００７】
上記課題を解決するため、請求項１の発明では、ガイドバー２の先端部に、ガイドバー２への取り付け状態で先端上部に被切削材を拘束する第１ガイド４ａと後端下部に被切削材を拘束する第２ガイド４ｂ及び先端部にソーチェン３に他の物体が接触するのを防止する第３ガイド４ｃとを備えたガイド４を設けたことを特徴とする。
【０００８】
また、請求項２の発明では、ガイドバー２に被切削材を拘束するガイド４を設けているチェンソーにおいて、前記被切削材を拘束するガイド４の先端４ｆをソーチェン３の厚さ方向中心線３ｂ上近傍に位置させたことを特徴とする。
【発明の効果】
【０００９】
請求項１の発明では、ガイドバーの先端部に、ガイドバーへの取り付け状態で先端上部に被切削材を拘束する第１ガイドと後端下部に被切削材を拘束する第２ガイド及び先端部にソーチェンに他の物体が接触するのを防止する第３ガイドとを備えたたガイドを設けたので、一台のチェンソーで切り落とし側に切り口を入れる作業と小枝を伐採する作業を効率よく行うことができるだけでなく、ガイドバーの先端部分を駆動するソーチェンが伐採、切断を意図していない物体に接触するのを防ぎ、どのような作業においても操作性の良いチェンソーを提供することができる。
【００１０】
請求項２の発明では、ガイドバーに被切削材を拘束するガイドを設けているチェンソーにおいて、前記被切削材を拘束するガイドの先端をソーチェンの厚さ方向中心線上近傍に位置させたことで、ガイドバーとガイドの間に切り屑が堆積することがなくなり、いつまでも切削性の良好なチェンソーを提供することができる。
【発明を実施するための最良の形態】
【００１１】
以下、図面を参照して発明を実施するための最良の形態に付いて説明する。
【実施例１】
【００１２】
図１は、本発明のチェンソーの実施例の正面図である。図２は、図１の先端部分の断面矢視図である。図３は、ガイドの正面図である。図４は、ガイドの右側面図である。
【００１３】
図１乃至２図中、１はチェンソー本体、２は一端をチェンソー本体１に固定されたガイドバー、３はガイドバー２の外周に設けられソーチェン溝２ａに習って摺動するソーチェンである。このチェンソーは、図示してないがチェンソー本体１に内装された電動モータを動力源とし、この電動モータにより図示していないスプロケットを駆動する。このスプロケットには上記ソーチェン３が掛け回されていて、スプロケットの回転に連動してソーチェン３がガイドバー２の外周に設けられたソーチェン溝２ａに沿って駆動し、被切削材を伐採、あるいは切断することができるものである。なお、図１中の矢印は、ソーチェン３が駆動する方向を示すものである。
【００１４】
次に、図中の４は、鋼材で作られ、ガイドバー２の先端部２ｄに取り付けられたガイドである。このガイド４は、図１、図３に示すように、その先端上部に上方に伸びた第１ガイド４ａと後端下方に伸びた第２ガイド４ｂを一体に形成するとともに、先端部には、ガイドバー２の先端部２ｄに掛け回されたソーチェン３の回転半径よりも大きく、先端部２ｄと同心の円弧形状で形成された第３ガイド４ｃを一体に形成している。特に、上記第１ガイド４ａと第２ガイド４ｂは、丸太や小枝を拘束しやすいように、ガイドバー２に取り付けた状態においてチェンソー外周３ａから大きく上方と下方に突出して形成されている。
そして、上記第１ガイド４ａは、図１に示すように丸太を切断する場合に、切り落とし側に切り口を入れる作業に使用するための丸太を拘束するためのガイドであり、第２ガイド４ｂは、小枝を伐採する場合に、小枝を拘束するために使用するガイドである。次に第３ガイド４ｃは、ガイドバー２の先端部２ｄを摺動するソーチェン３が、伐採、切断を意図していない物体に接触し、その反動によりチェンソーが振られ操作が不安定になるのを防止するために設けられるものである。
【００１５】
更に、図２乃至図４により、ガイド４を詳しく説明する。まず、第１ガイド４ａ、第２ガイド４ｂ及び第３ガイド４ｃは、図２に示すように、ソーチェン３に接触しないようガイドバー２の外周から図２中上方に所定量曲げて形成されている。特に小枝を拘束するために使用されるガイドである第２ガイド４ｂは、更に図２と図４に示すようにその先端部４ｆがソーチェン３の厚さの中心線３ｂ上の近くに位置するように湾曲して形成されている。
また、ガイド４のガイドバー２に当接する部分には、固定ネジ５を通すための孔４ｄがあけられているとともに、ガイド４をガイドバー２の所定の位置に位置決めするための位置決めボス４ｅが凸状にプレスで打ち出されて形成されている。
【００１６】
そして、このガイド４は、ガイドバー２にあけられた孔２ｃに位置決めボス４ｅを嵌合させた後、ガイドバー２にあけられたもう一つの孔２ｂに孔４ｄを一致させ、固定ネジ５とナット６によりガイドバー２に固定されている。
【００１７】
次に、図１により、上記構成のチェンソーの作用について説明する。
【００１８】
まず、上記構成のチェンソーの第１ガイド４ａを使用しての丸太の切断では、第１ガイド４ａを丸太の下部に当て、丸太を拘束した後、チェンソー本体１を上方に持ち上げガイドバー２の上部を摺動するソーチェン３で切り込みを入れる。その後、丸太の上部よりガイドバー２の下部を摺動するソーチェン３で鋸引きを行い、丸太に裂けを生じることなく切断を終了させる。
次に、第２ガイド４ｂを使用しての小枝の伐採では、第２ガイド４ｂに小枝を押し付け拘束することにより、小枝がしなりソーチェン３から逃げるのを防ぎ、以って効率よく伐採を行う。
更に、第２ガイド４ｂを使用しての小枝等の伐採では、第２ガイド先端部４ｆをソーチェン３の厚さの中心線上近くに位置するように湾曲させて形成しているので、切削により生じた切り屑が第２ガイド先端部４ｆに妨げられ、ソーチェン３の駆動方向に巻き込まれることがなくなり、以って第２ガイド４ｂとガイドバー２との隙間に切り屑が堆積することがなくなり、いつまでも切削性の良好なチェンソーを提供できる。
次に、第３ガイド４ｃにおいては、ガイドバー２の先端部２ｄを摺動するソーチェン３が、第３ガイド４ｃによりカバーされているので、伐採、切断を意図していない物体にソーチェン３が接触することがなくなり、安定した作業ができる。
【図面の簡単な説明】
【００１９】
【図１】本発明のチェンソーの正面図。
【図２】本発明のチェンソーのガイド部のＡーＡ断面矢視図。
【図３】ガイドの正面図。
【図４】ガイドの右側面図。
【符号の説明】
【００２０】
１    チェンソー本体
２    ガイドバー
３    ソーチェン
４    ガイド
４ａ  第１ガイド
４ｂ  第２ガイド
４ｃ  第３ガイド
４ｆ  第２ガイド先端部
【図１】
2005153195.tif 000003
【図２】
2005153195.tif 000004
【図３】
2005153195.tif 000005
【図４】
2005153195.tif 000006